(57)【要約】【課題】巻取軸の径を簡単に変更する。【解決手段】アダプタ２０は、巻取軸が嵌まる軸孔２４が設けられたアダプタ本体２２と、アダプタ本体２２に設けられた設置部２８に、径方向へ移動可能で、かつ該径方向に沿う軸周りに回転可能に設置された保持部材２６とを備えている。保持部材２６は、第１姿勢において、第１位置と第２位置との間で移動可能である。保持部材２６は、第１姿勢から回転した第２姿勢において、アダプタ本体２２に引っ掛かって、第２位置から第１位置へ向けた移動が規制される。【選択図】図３
2017171498.tif 000002
【特許請求の範囲】
【請求項１】
巻取軸が嵌まる軸孔が設けられたアダプタ本体と、
前記アダプタ本体に設けられた設置部に、前記軸孔から該アダプタ本体の外周面へ向けた内外方向へ移動可能で、かつ該内外方向に沿う軸周りに回転可能に設置された保持部材とを備え、
前記保持部材の第１姿勢において、一端が前記軸孔に臨む第１位置と、一端が前記軸孔から退避すると共に他端が前記アダプタ本体の外周面から外方へ突出する第２位置との間で、該保持部材の移動が許容され、
前記第１姿勢から回転した前記保持部材の第２姿勢において、前記保持部材が前記アダプタ本体に引っ掛かって、該保持部材の前記第２位置から前記第１位置へ向けた移動が規制されるよう構成した
ことを特徴とするアダプタ。
【請求項２】
前記保持部材は、前記他端の外周形状が円形以外で形成され、
前記設置部は、前記アダプタ本体の外周面に開口する外側開口が、前記第１姿勢にある前記保持部材の他端の通過を許容すると共に前記第２姿勢にある保持部材の他端の通過を規制する形状で形成された請求項１記載のアダプタ。
【請求項３】
前記アダプタ本体には、前記巻取軸に設けられて該巻取軸の外周面よりも突出する突出位置になる係止部材に対応して、前記保持部材が設けられ、
前記設置部は、前記軸孔側が、前記突出位置にある前記係止部材を受け入れ可能に形成されると共に、該軸孔の貫通方向に開放するように形成された請求項１または２記載のアダプタ。
【請求項４】
前記設置部には、前記第１位置において前記保持部材を第１姿勢から回転してずらした姿勢で、前記保持部材と引っ掛かって該保持部材の第１位置から第２位置へ向けた移動を規制する作動規制部が設けられた請求項１〜３の何れか一項に記載のアダプタ。
【請求項５】
前記アダプタ本体は、前記軸孔の径を拡大および縮小する締付手段を備えた請求項１〜４の何れか一項に記載のアダプタ。
【請求項６】
前記アダプタ本体は、前記軸孔を画成する内周面に、外方へ凹むように形成された凹部を備えた請求項１〜５の何れか一項に記載のアダプタ。
【発明の詳細な説明】
【技術分野】
【０００１】
この発明は、シートの巻取軸に用いられるアダプタに関するものである。
【背景技術】
【０００２】
紙、フィルム、金属箔等の連続したシート状の長尺巻物を巻き戻しながら、任意の縦方向幅に連続して切断して得られる製品シートを巻き取るスリッターと呼ばれる装置がある。スリッターは、その軸周りに回転される巻取軸を備えており(例えば特許文献１参照)、紙やプラスチックなどから円筒形に形成された巻芯を、巻取軸の外側に回転可能に嵌め込まれたカラーに装着して、巻芯で製品シートを巻き取っている。そして、巻き取りが完了した際には、巻取軸の軸方向へ巻芯を移動して、巻き取った製品シートごと巻芯を巻取軸から抜き取り、新たな巻芯を巻取軸に装着している。このため、巻取軸に対する巻芯の装着時および抜き取り時には、巻取軸に対して巻芯を軸方向へ移動できるようにフリーな状態として、製品シートの巻き取り時には、巻芯を巻取軸と一体回転させるべく、巻取軸に設けた係止部材によって巻芯を内側から保持している。
【先行技術文献】
【特許文献】
【０００３】
【特許文献１】特開２０１５−１７８４１４号公報
【発明の概要】
【発明が解決しようとする課題】
【０００４】
前記巻芯は、径が大きいほうが、製品シートの巻き始めと巻き終わりとの間で引っ張り力の変動が小さいので、巻き取りが行い易いメリットがある。また、巻芯は、径が小さいほうが、巻き取り可能な距離が大きくでき、また同一距離を巻き取った場合にコンパクトにできるメリットがある。このように、製品シートの巻き取りに用いられる巻芯は、巻き取るシートの種類や顧客の要望などによって、様々な径のものが使用される。しかしながら、多種の巻芯に合わせて様々な径の巻取軸を揃えることは、コストの増大に繋がったり、また複数の巻取軸を保管する場所を要したりするなど、様々な問題を招いてしまう。
【０００５】
すなわち本発明は、従来の技術に係る前記問題に鑑み、これらを好適に解決するべく提案されたものであって、巻取軸の径を簡単に変えることができるアダプタを提供することを目的とする。
【課題を解決するための手段】
【０００６】
前記課題を克服し、所期の目的を達成するため、本願の請求項１に係る発明のアダプタは、
巻取軸(10)が嵌まる軸孔(24)が設けられたアダプタ本体(22)と、
前記アダプタ本体(22)に設けられた設置部(28)に、前記軸孔(24)から該アダプタ本体(22)の外周面へ向けた内外方向へ移動可能で、かつ該内外方向に沿う軸周りに回転可能に設置された保持部材(26)とを備え、
前記保持部材(26)の第１姿勢において、一端が前記軸孔(24)に臨む第１位置と、一端が前記軸孔(24)から退避すると共に他端が前記アダプタ本体(22)の外周面から外方へ突出する第２位置との間で、該保持部材(26)の移動が許容され、
前記第１姿勢から回転した前記保持部材(26)の第２姿勢において、前記保持部材(26)が前記アダプタ本体(22)に引っ掛かって、該保持部材(26)の前記第２位置から前記第１位置へ向けた移動が規制されるよう構成したことを要旨とする。
請求項１に係る発明によれば、保持部材を第２位置で第２姿勢とすることで、保持部材をその一端が軸孔から退避させた第２位置で第１位置へ移動しないように保持することができ、軸孔に巻取軸を通す際に保持部材が巻取軸に干渉することなく、アダプタを巻取軸に簡単に装着することができる。また、保持部材を第２姿勢から第１姿勢に回転するだけで、保持部材を第１位置と第２位置との間で移動可能とすることができる。そして、アダプタを巻取軸に装着することで、アダプタにより巻取軸の径を簡単に変えることができる。
【０００７】
請求項２に係る発明では、前記保持部材(26)は、前記他端の外周形状が円形以外で形成され、
前記設置部(28)は、前記アダプタ本体(22)の外周面に開口する外側開口が、前記第１姿勢にある前記保持部材(26)の他端の通過を許容すると共に前記第２姿勢にある保持部材の他端の通過を規制する形状で形成されたことを要旨とする。
請求項２に係る発明によれば、円以外の外周形状で保持部材の他端を形成することで、保持部材を回転して姿勢を変えた際に、設置部の外側開口と整合するまたはずれた状態に切り替えることができ、保持部材の移動を許容または規制する構成を簡単にできる。
【０００８】
請求項３に係る発明では、前記アダプタ本体(22)には、前記巻取軸(10)に設けられて該巻取軸(10)の外周面よりも突出する突出位置になる係止部材(16)に対応して、前記保持部材(26)が設けられ、
前記設置部(28)は、前記軸孔(24)側が、前記突出位置にある前記係止部材(16)を受け入れ可能に形成されると共に、該軸孔(24)の貫通方向に開放するように形成されたことを要旨とする。
請求項３に係る発明によれば、軸孔に巻取軸を通して装着する際に、係止部材に設置部を合わせてアダプタ本体を配置することで、係止部材と保持部材とを位置合わせすることができると共に、係止部材とアダプタ本体との干渉を防止して、巻取軸にスムーズに装着することができる。
【０００９】
請求項４に係る発明では、前記設置部(28)には、前記第１位置において前記保持部材(26)を第１姿勢から回転してずらした姿勢で、前記保持部材(26)と引っ掛かって該保持部材(26)の第１位置から第２位置へ向けた移動を規制する作動規制部(52)が設けられたことを要旨とする。
請求項４に係る発明によれば、巻取軸の係止部材の動きに連動しないで第１位置に留まる保持部材を設けることができる。
【００１０】
請求項５に係る発明では、前記アダプタ本体(22)は、前記軸孔(24)の径を拡大および縮小する締付手段(36,38)を備えたことを要旨とする。
請求項５に係る発明によれば、締付手段によって軸孔を縮小することで、アダプタを巻取軸により確実に固定することができ、締付手段によって軸孔を拡大することで、アダプタを巻取軸によりスムーズに着脱することができる。
【００１１】
請求項６に係る発明では、前記アダプタ本体(22)は、前記軸孔(24)を画成する内周面に、外方へ凹むように形成された凹部(22a)を備えたことを要旨とする。
請求項６に係る発明によれば、凹部の存在によりアダプタ本体と巻取軸との摺接を抑えて、アダプタを巻取軸によりスムーズに着脱することができる。
【発明の効果】
【００１２】
本発明に係るアダプタによれば、巻取軸の径を簡単に変えることができる
【図面の簡単な説明】
【００１３】
【図１】本発明の好適な実施例に係るアダプタが装着された巻取軸を示す斜視図である。
【図２】実施例の巻取軸の巻取ユニットを示す側面図である。
【図３】実施例のアダプタを示す斜視図である
【図４】実施例のアダプタを分解して示す斜視図である。
【図５】実施例のアダプタの通常状態を示し、(ａ)は側面図であり、(ｂ)は平面図である。
【図６】実施例のアダプタを示す正面図である。
【図７】実施例のアダプタにおいて、係止部材と保持部材との連係を示す説明図であって、(ａ)は係止部材が退避した状態にあり、(ｂ)は係止部材が突出した状態にある。
【図８】実施例のアダプタの取付状態を示し、(ａ)は側面図であり、(ｂ)は平面図である。
【図９】図８(ｂ)のＡ−Ａ線に対応した断面を示す説明図である。
【図１０】実施例のアダプタのロック状態を示し、(ａ)は側面図であり、(ｂ)は平面図である。
【図１１】図１０(ｂ)のＢ−Ｂ線に対応した断面を示す説明図である。
【発明を実施するための形態】
【００１４】
次に、本発明に係るアダプタにつき、好適な実施例を挙げて、添付図面を参照して以下に説明する。
【実施例】
【００１５】
図１に示すように、実施例に係るアダプタ２０が装着される巻取軸１０は、スリッターなどのロール巻取装置に用いられるものであって、円柱形の軸芯部１２の外周に嵌め合わせられた円筒形の巻取ユニット１４が、該軸芯部１２の軸方向に並べて複数装着されている。図２に示すように、巻取ユニット１４は、シリンダブロックに軸受を介して回転可能に取り付けられた外周環１４ａに、内外へ出入りするように設けられた係止部材１６を備えており、実施例では、周方向へ均等な間隔で離間して複数(３基)の係止部材１６が設けられている。巻取軸１０には、巻取ユニット１４の係止部材１６が外周環１４ａの外周面からの突出量が小さくなるように内方へ退避した位置で、巻芯が外周環１４ａの外側に装着される。そして、巻取軸１０は、軸芯部１２を介して供給される空気または巻取ユニット１４に内蔵されたバネ等の付勢手段によって、複数の係止部材１６のそれぞれを径方向外側へ移動して突出位置とすることで、係止部材１６の先端を巻芯の内側に押し付けて、巻取ユニット１４に対して巻芯を固定する。また、巻取軸１０は、軸芯部１２に対して外周環１４ａが回転可能なフリーな状態から、軸芯部１２を介して供給される空気によって作動するピストンにより軸芯部１２に対して外周環１４ａが固定されて、軸芯部１２の回転駆動に伴って巻取ユニット１４および装着された巻芯が回転する。
【００１６】
図１および図２に示すように、巻取ユニット１４は、外周環１４ａに回転可能に設けられたスライド案内体１８を備えている。実施例では、巻取軸１０の軸方向に対して直交する軸周りに回転するローラによりスライド案内体１８が構成され、外周環１４ａの外周面よりもスライド案内体１８の周面が外方へ突出している。スライド案内体１８は、巻芯にシートが巻き取られた巻取製品を巻取軸１０に対してスライドさせて取り外すのを容易にするためのものである。スライド案内体１８は、外周環１４ａの周方向に離間して複数設けられると共に、隣り合う巻取ユニット１４,１４同士において軸方向で位置が重ならないように、周方向へずらして配置されている。
【００１７】
図１に示すように、実施例に係るアダプタ２０は、巻取ユニット１４の外周環１４ａの外側に嵌め合わせて巻取軸１０に取り付けられ、該アダプタ２０の外周に巻芯が装着される。図３および図４に示すように、アダプタ２０は、巻取軸１０が嵌まる軸孔２４が設けられたアダプタ本体２２と、アダプタ本体２２に設けられた保持部材２６とを備え、巻取軸１０と巻芯との間に介在して巻取軸１０の外径と巻芯の内径との差を埋めるものである。アダプタ２０は、保持部材２６がアダプタ本体２２に設けられた設置部２８に設置されて、保持部材２６が軸孔２４からアダプタ本体２２の外周面に向かう内外方向へ移動可動であると共に、該内外方向に沿う軸周りに回転可能に構成される。ここで、内外方向とは、軸孔２４の貫通方向(巻取軸１０の軸方向)と交差する方向を差し、軸孔２４の中心(巻取軸１０の軸線)を通っても、通らなくてもよい。実施例では、巻取軸１０の軸方向と直交すると共に巻取軸１０の軸線を通る方向(特に区別する場合は径方向という)に移動する係止部材１６の移動方向に合わせて、保持部材２６が軸孔２４の貫通方向と直交すると共に軸孔２４の中心を通る前記径方向に移動するよう構成されている。なお、以下の説明において、保持部材２６を内外方向へ移動することを、位置を変えるといい、保持部材２６を内外方向に沿う軸周りで回転することを、姿勢を変えるという場合がある。
【００１８】
図３〜図５に示すように、アダプタ本体２２は、プラスチックや金属などからなる円盤形状の部材であって、中央部に貫通して形成された軸孔２４が円形の巻取軸１０の外周に合わせて円形を基本とする形状で形成されている。また、アダプタ本体２２は、円筒形の巻芯において円形に形成される内周面に合わせて、外周形状が円形に形成されている。アダプタ本体２２は、軸孔２４の貫通方向の厚みが、巻取ユニット１４の軸方向の厚みに合わせて設定されており、巻取軸１０に装着した際に１つの巻取ユニット１４に対して１つのアダプタ２０が対応して配置される(図１参照)。アダプタ本体２２は、軸孔２４を画成する内周面に、外方へ凹むように形成された凹部２２ａを備えている。凹部２２ａは、巻取ユニット１４のスライド案内体１８の位置に合わせて設けられ、スライド案内体１８の外周環１４ａからの突出寸法よりも大きく凹んでいる。
【００１９】
図５に示すように、アダプタ本体２２には、保持部材２６が設置される設置部２８が設けられている。設置部２８は、保持部材２６を移動および回転可能に支持する支持部分３０と、保持部材２６の外端(他端)を収容可能な外収容部分３２と、保持部材２６の内端(一端)を収容可能な内収容部分３４とを備えている。支持部分３０は、アダプタ本体２２を径方向に貫通する孔形状で形成され、一方がアダプタ本体２２の外周面側に開口すると共に他方が軸孔２４側に開口している。外収容部分３２は、アダプタ本体２２の外周面から内方へ凹む凹形状で形成され、底部分に支持部分３０が開口している。外収容部分３２は、アダプタ本体２２の外周面に開口する設置部２８の外側開口を画成している。設置部２８において、支持部分３０と外収容部分３２とは保持部材２６の移動方向に連通しており、支持部分３０および外収容部分３２は、アダプタ本体２２で囲まれて軸孔２４の貫通方向に開放しない形状で形成されている。設置部２８は、支持部分３０の開口寸法よりも外収容部分３２の開口寸法が大きく形成されて、外収容部分３２において保持部材２６の移動方向と交差するように延在する底部分が、保持部材２６の外端と引っ掛かることで該保持部材２６の内方への移動を規制する。内収容部分３４は、支持部分３０および軸孔２４に連通するように設けられ、軸孔２４の貫通方向両側に開放するように形成されている。また、内収容部分３４は、係止部材１６の先端幅よりも周方向の幅が大きく形成され、巻取ユニット１４の外周面よりも突出した位置にある係止部材１６の先端を受け入れ可能に構成されている。なお、内収容部分３４は、軸孔２４側と比べて外側の支持部分３０側の周方向の幅が大きく形成されて、側面視で略「Ｔ」字状に開口している。
【００２０】
図４および図５に示すように、アダプタ本体２２は、軸孔２４から該アダプタ本体２２の外周面に向かって切り欠くように形成された凹状の締付許容部３６と、締付許容部３６の周方向の幅を変える締付調節部３８とを備えている。締付許容部３６と締付調節部３８とによって、軸孔２４を拡大したり縮小する締付手段を構成している。締付許容部３６は、軸孔２４からアダプタ本体２２の外周面を貫通しないように凹むと共に、軸孔２４の貫通方向両側に開放するように形成される。締付調節部３８は、締付許容部３６の横側に設けられたナット収容部４０に収容されたナット４２に、先端がねじ込み可能なボルトが用いられている。締付調節部３８は、アダプタ本体２２の外周面から締付許容部３６を横切るように配置されて、ナット４２に先端がねじ込まれている。締付手段は、締付調節部３８をナット４２にねじ込む方向へ回転操作することで、締付許容部３６において周方向へ向かい合う壁を互いに近づくように変形させて、軸孔２４を縮小する。また、締付手段は、締付調節部３８をナット４２から外す方向へ回転操作することで、締付許容部３６において周方向へ向かい合う壁を互いに離れるように変形させて、軸孔２４を拡大する。このように、アダプタ２０は、締付手段でアダプタ本体２２を巻取ユニット１４の外周面に締め付けて、巻取軸１０と共に回転するように固定される。
【００２１】
図４および図８に示すように、保持部材２６は、円柱形状の軸部分４４の外端に、該保持部材２６の移動方向と交差する方向へ延出する円盤状に形成された当接部分４６を備え、アダプタ本体２２において係止部材１６に合わせて配置される。実施例のアダプタ２０には、周方向へ同じ間隔(１２０°間隔)で設けられた３基の係止部材１６に対応して、アダプタ本体２２の周方向に同じ間隔で離間して、３基の保持部材２６が配置される。また、保持部材２６は、係止部材１６の移動方向に合わせた方向へ移動可能に構成されて、径方向に移動する係止部材１６に合わせて、径方向へ移動可能に設置部２８で支持されている。保持部材２６は、設置部２８の支持部分３０に挿通した軸部分４４が該支持部分３０に保持されて、支持部分３０の外側に配置される当接部分４６が外収容部分３２を介して外方へ臨むと共に、軸部分４４の内端が内収容部分３４を介して軸孔２４側に臨んでいる。保持部材２６は、軸部分４４が設置部２８の支持部分３０で支持されて、該支持部分３０の貫通方向に沿って移動が許容されると共に、支持部分３０を軸受として正逆両方向へ回転可能となっている。保持部材２６は、当接部分４６がアダプタ本体２２の外周面よりも内方へ退避すると共に軸部分４４の内端が軸孔２４に臨む第１位置と、当接部分４６がアダプタ本体２２の外周面よりも外方へ突出すると共に軸部分４４の内端が軸孔２４から退避する第２位置との間で、少なくとも移動可能になっている。
【００２２】
図５に示すように、保持部材２６は、付勢手段４８によって内方へ向けて付勢されており、実施例では、ばねなどの弾性部材を用いた付勢手段４８により保持部材２６に対して第２位置から第１位置へ移動させる方向へ力が弾力的に付与されている。具体的には、設置部２８における内収容部分３４の天井部分と、保持部材２６における軸部分４４の内端部周面に凹状に形成された溝４４ａ(図４参照)に嵌め込まれたＫ型やＥ型などの止め輪等の保持片５０との間に、軸部分４４をコイル部分に通した付勢手段４８としての圧縮コイルばねが設置される。保持部材２６は、外収容部分３２に収まった当接部分４６が該外収容部分３２の底部分に引っ掛かることで内方への移動が規制される第１位置において、軸部分４４の内端が軸孔２４の内方へ突出するように配置される。なお、アダプタ２０は、付勢手段４８の付勢に抗して軸部分４４の内端を内収容部分３４の支持部分３０側に配置するように保持部材２６を移動することで、軸孔２４の貫通方向へ開放すると共に幅広に形成された内収容部分３４の支持部分３０側を用いて、保持片５０を着脱することが可能である。
【００２３】
図４〜図１１に示すように、当接部分４６には、円形の本体部分外周縁から突出する掛止部４７が設けられており、アダプタ２０の外周面を正面から見た際に当接部分４６が全体として円形以外の形状となるように形成されている。掛止部４７は、当接部分４６の外周縁から保持部材２６の移動方向と交差する方向へ延出するよう形成された突片であり、実施例では、軸部分４４を挟んで対称な位置関係で当接部分４６の外周縁に２箇所設けられている。また、当接部分４６において外方に臨む外面中央部には、細長い溝部４６ａが１条形成されており、この溝部４６ａにドライバー等の工具を嵌め合わせて保持部材２６を回転させたり、溝部４６ａの延びる向きにより保持部材２６がどのような姿勢(後述の第１姿勢および第２姿勢)にあるのか判断することができる。なお、当接部分４６において外方に臨む外面の外縁には、外方へ突出する保持爪４６ｂが複数設けられており、当接部分４６で巻芯を内側から押さえ付ける際に保持爪４６ｂが巻芯に引っ掛かるようになっている。
【００２４】
図５(ｂ)、図８(ｂ)および図１０(ｂ)に示すように、設置部２８は、アダプタ本体２２の外周面に開口する外側開口を画成する外収容部分３２が、第１姿勢にある保持部材２６の当接部分４６の通過を許容する一方で、第１姿勢から回転した第２姿勢にある保持部材２６の当接部分４６の通過を規制する開口形状で形成されている。保持部材２６は、第１姿勢にある際に、第１位置と第２位置との間の移動が許容され、第２姿勢にある際に、当接部分４６が設置部２８における外収容部分３２の開口縁に引っ掛かって、第２位置から第１位置へ向けた移動が規制される。具体的には外収容部分３２は、円形を基本としつつ、支持部分３０を挟んで対称な位置関係で凹む２箇所の受入部３２ａを有する開口形状で形成され、当接部分４６における２箇所の掛止部４７を含めた外周形状に合わせた一回り大きい略相似形状になっている。
【００２５】
図５および図７〜図１１に示すように、アダプタ２０は、保持部材２６を回転して姿勢を変えることで、当接部分４６の掛止部４７と外収容部分３２の受入部３２ａとの位置を整合させたり(第１姿勢：図５および図７)、当接部分４６の掛止部４７と外収容部分３２の受入部３２ａとの位置を互いにずらすように(第２姿勢)、切り替え可能である。保持部材２６は、当接部分４６の掛止部４７と外収容部分３２の受入部３２ａとが保持部材２６の移動方向に揃う第１姿勢で、掛止部４７が受入部３２ａに収まることで、当接部分４６が外収容部分３２から突出する第２位置から外収容部分３２に当接接分４６が嵌まる第１位置への移動が可能となる。保持部材２６は、当接部分４６の掛止部４７と外収容部分３２の受入部３２ａとが互いにずれた第２姿勢で、掛止部４７が外収容部分３２の開口縁に引っ掛かることで、当接部分４６が外収容部分３２から突出した第２位置から外収容部分３２に嵌まる第１位置へ向けた移動が規制される。なお、実施例のアダプタ２０は、第１姿勢から保持部材２６を回転して姿勢を変えることで、掛止部４７を受入部３２ａからずらすことができ、第１姿勢から９０°回転した図８の姿勢に限らずに広い範囲で第２姿勢となる。
【００２６】
図１０および図１１に示すように、設置部２８には、第１位置において保持部材２６を第１姿勢から回転してずらした姿勢で、保持部材２６と引っ掛かって該保持部材２６の第１位置から第２位置へ向けた移動を規制する作動規制部５２が設けられている。作動規制部５２は、外収容部分３２の底側に保持部材２６の移動方向と交差する方向へ凹むように形成され、受入部３２ａと繋がっている。また、作動規制部５２は、第１位置にある保持部材２６の掛止部４７の回転方向に沿って延在し、実施例では、２つの受入部３２ａ,３２ａの間に亘って設けられている。作動規制部５２は、第１位置にある保持部材２６を第１姿勢から回転させることで変位する掛止部４７を受け入れて、受け入れた掛止部４７と保持部材２６の第１位置から第２位置に向けた移動方向に引っ掛かる。
【００２７】
〔実施例の作用〕
次に、実施例に係るアダプタ２０の作用について説明する。アダプタ２０を巻取軸１０に装着するまたは巻取軸１０から取り外す場合は、保持部材２６を掛止部４７が設置部２８の外収容部分３２の外側に位置するように移動し、この状態で掛止部４７が外収容部分３２の受入部３２ａからずれるように保持部材２６を回転する。これにより、掛止部４７が設置部２８の外側開口縁に対して保持部材２６の第２位置から第１位置への移動方向に重なるので、掛止部４７が設置部２８の外側開口縁に引っ掛かり、保持部材２６の第２位置から第１位置への移動が規制される取付状態として、保持部材２６を第２位置で保持することができる(図８および図９参照)。アダプタ２０は、保持部材２６を第２位置で保持することで、保持部材２６における軸部分４４の内端が軸孔２４から退避して内収容部分３４に収容されるので、巻取軸１０および巻取軸１０に設けられた係止部材１６と保持部材２６との干渉を回避することができる。
【００２８】
前記アダプタ２０によれば、アダプタ２０を巻取軸１０にスムーズに着脱することができ、アダプタ２０によって巻芯に合わせて巻取軸１０の径を簡単に変更することができる。また、アダプタ２０は、巻取軸１０と比べて構成が簡単であるので、巻芯の径に応じて巻取軸１０または巻取ユニット１４を複数種類用意するよりもコストを抑えることができ、簡単な構成であるので、重量の増加も抑えることができる。
【００２９】
アダプタ２０は、軸孔２４に巻取軸１０を通して装着する際に、係止部材１６に設置部２８を合わせてアダプタ本体２２を配置することで、係止部材１６と保持部材２６とを位置合わせすることができる。ここで、設置部２８の内収容部分３４は、突出位置にある係止部材１６を受け入れ可能に形成されると共に、軸孔２４の貫通方向に開放するように形成されているので、係止部材１６が突出していても、内収容部分３４を通してアダプタ２０を巻取軸１０にスムーズに装着することができる。また、突出した係止部材１６と内収容部分３４とを嵌め合わせることで、巻取軸１０に対するアダプタ２０の周方向の位置が合うように案内することができ、係止部材１６と保持部材２６との位置を適切に合わせることができる。また、アダプタ本体２２は、軸孔２４を画成する内周面に凹部２２ａを備えているので、巻取軸１０の外周面とアダプタ本体２２の内周面との摺接に伴う抵抗を軽減することができ、アダプタ２０を巻取軸１０によりスムーズに着脱することができる。なお、アダプタ本体２２の凹部２２ａは、巻取軸１０のスライド案内体１８の配置に合わせて設けられているので、アダプタ本体２２とスライド案内体１８との干渉を回避して、アダプタ２０を巻取軸１０によりスムーズに着脱することができる。
【００３０】
アダプタ２０は、第２位置にある保持部材２６を第２姿勢から回転して第１姿勢とすることで、掛止部４７が外収容部分３２の受入部３２ａに整合し、付勢手段４８に引っ張られて保持部材２６が第２位置から第１位置へ向けて移動する。これにより、保持部材２６は、軸部分４４の内端が係止部材１６の先端に当接した状態となる(図７(ａ)参照)。ここで、保持部材２６は、係止部材１６の先端面外縁に突出形成された複数の係止爪１６ａにより、係止部材１６の先端面中央部と軸部分４４の内端が当接するように案内される。アダプタ２０は、掛止部４７を突出形成して円以外の外周形状となるように保持部材２６の当接部分４６を形成してあるので、保持部材２６を回転して姿勢を変えた際に、設置部２８の外側開口と整合またはずれた状態に簡単に切り替えることができる。また、アダプタ２０は、保持部材２６の当接部分４６の外周形状と設置部２８の外側開口形状との整合およびズレを用いているので、保持部材２６の移動を許容および規制する構成を簡単にできる。
【００３１】
アダプタ２０は、締付手段３６,３８により軸孔２４を縮小してアダプタ本体２２で巻取軸１０を締め付けることで、巻取軸１０に対して移動および回転不能に固定される。このように、アダプタ２０は、締付手段３６,３８によって軸孔２４を縮小することで、巻取軸１０に対してより確実に固定することができる。アダプタ２０を取り外す際には、締付手段３６,３８により軸孔２４を拡大してアダプタ本体２２を緩めることで、巻取軸１０に対してスムーズに着脱することができる。
【００３２】
アダプタ２０は、係止部材１６が外方へ突出するのに伴って、付勢手段４８の付勢に抗して保持部材２６が外方へ向けて移動し(図７(ｂ))、これによりアダプタ２０に装着された巻芯を外方に突出した当接部分４６によって内側から押さえ付ける。アダプタ２０は、係止部材１６が内方へ退避するのに伴って、付勢手段４８の付勢により保持部材２６が内方へ向けて移動し(図７(ａ))、これによりアダプタ２０に装着された巻芯がアダプタ２０に対してフリーな状態となる。このように、アダプタ２０は、保持部材２６が第１姿勢にある通常状態において、係止部材１６の移動に連動して保持部材２６が移動し、巻取軸１０に対して巻芯を固定または固定解除する。このように、アダプタ２０は、保持部材２６を回転するだけの簡単な操作で、保持部材２６を係止部材１６に連動させて移動させることができる。また、アダプタ２０は、保持部材２６の掛止部４７が設置部２８の受入部３２ａに収まった際に受入部３２ａに移動経路が案内されるので、保持部材２６の回転を防止することができる。
【００３３】
アダプタ２０は、第１位置にある際に第１姿勢から回転して姿勢を変えることで、掛止部４７が設置部２８に設けられた作動規制部５２に受け入れられ、掛止部４７と作動規制部５２との引っ掛かりにより、第１位置から第２位置へ向けた保持部材２６の移動を規制することができる。すなわち、アダプタ２０は、係止部材１６に連動しないで第１位置で停止している保持部材２６を選択的に設けることができる。例えば、巻芯の端に対応するアダプタ２０について、巻芯が途中までしかかかっていない場合に、そのアダプタ２０の保持部材２６を掛止部４７と作動規制部５２との引っ掛かりにより作動しないように設定することで、巻芯の端に中途半端に当たる保持部材２６に起因する異物の発生を防止することができる。また、複数のアダプタ２０および／または各アダプタ２０に設けられた複数の保持部材２６について、掛止部４７と作動規制部５２との引っ掛かりにより作動しないように選択的に設定することで、シートを巻き取る際の力を調節することができる。
【００３４】
(変更例)
前述した構成に限定されず、例えば以下のようにも変更することができる。
(１)実施例では、保持部材の外端に形成された当接部分に掛止部を設けたが、これに限らず、軸部分に掛止部を設け、これに対応して設置部の受入部を設ける構成であってもよい。例えば、軸部分から突出する掛止部が設置部における内収容部分の段部に引っ掛かることで、第１位置への移動を規制し、掛止部が該段部に開口する受入部に収まることで、第１位置への移動を許容する構成を採用できる。
(２)実施例では、保持部材に凸状の掛止部を設けると共に、設置部(アダプタ本体)に凹状の受入部を設けたが、これに限らず、設置部(アダプタ本体)に凸状の部分を設け、これに対応して保持部材に凹状の部分を設けてもよい。
(３)保持部材の第１位置への移動規制構造は、実施例のような保持部材と設置部(アダプタ本体)との凹凸関係による構成に限らない。例えば、保持部材の当接部分を多角形状や楕円形状とすると共に、設置部の外収容部分を当接部分の外周形状に対応した形状とし、互いの形状が揃う保持部材の姿勢で保持部材の移動を許容し、互いの形状がずれた保持部材の姿勢で保持部材の移動を規制する構成を採用できる。
(４)実施例では、設置部の外収容部分に作動規制部を設けたが、これに限らず、設置部の別の部位に設けてもよい。
(５)凹状の作動規制部に引っ掛かる凸状の部分を、保持部材に掛止部と別に設けてもよい。
(６)保持部材の第２位置への移動規制構造は、設置部(アダプタ本体)に凸状の部分を設け、これに対応して保持部材に凹状の部分を設けて、凸状の部分と凹状の部分との引っ掛かりにより、保持部材の第２位置への移動を規制してもよい。
【符号の説明】
【００３５】
１０ 巻取軸，１６係止部材，２２ アダプタ本体，２２ａ 凹部，２４ 軸孔，
２６ 保持部材，２８ 設置部，３６ 締付許容部(締付手段)，
３８ 締付調節部(締付手段)，５２ 作動規制部
【図１】
2017171498.tif 000003
【図２】
2017171498.tif 000004
【図３】
2017171498.tif 000005
【図４】
2017171498.tif 000006
【図５】
2017171498.tif 000007
【図６】
2017171498.tif 000008
【図７】
2017171498.tif 000009
【図８】
2017171498.tif 000010
【図９】
2017171498.tif 000011
【図１０】
2017171498.tif 000012
【図１１】
2017171498.tif 000013